(57)【要約】【課題】プライベート情報の漏洩を防止しつつ、これらのプライベート情報の紛失を防止することができるようにする。【解決手段】本発明に係るネットワークシステム１においては、本発明に係る情報処理装置に適用可能な携帯電話機２は、外部より携帯電話機２のロックをかけるための遠隔ロック通知を受信し、他の情報処理装置に適用可能なパーソナルコンピュータ９に、データをバックアップ送信するか否かを設定し、受信された遠隔ロック通知に基づいてロックを実行する際に、バックアップサーバ８またはパーソナルコンピュータ９に、データをバックアップ送信する。【選択図】  図１
2008147948.tif 000002
【特許請求の範囲】
【請求項１】
外部より情報処理装置のロックをかけるための遠隔ロック通知を受信する受信手段と、
他の情報処理装置に、データをバックアップ送信するか否かを設定する第１の設定手段と、
前記受信手段により受信された前記遠隔ロック通知に基づいてロックを実行する際に、前記他の情報処理装置に、前記データをバックアップ送信する送信手段とを備えることを特徴とする情報処理装置。
【請求項２】
前記送信手段は、前記ロックを実行する際に、前記他の情報処理装置に前記データをバックアップ送信するとき、メールに前記データを添付して送信することを特徴とする請求項１に記載の情報処理装置。
【請求項３】
前記ロックを実行する際に、前記送信手段により前記他の情報処理装置に前記データをバックアップ送信した後、前記データを削除する削除手段をさらに備えることを特徴とする請求項１に記載の情報処理装置。
【請求項４】
前記データは、少なくとも、アドレス帳、スケジュールデータ、フォトデータ、およびムービデータのいずれか１つであり、
前記情報処理装置は、前記データのうち、前記設定手段により他の情報処理装置にバックアップ送信すると設定された前記データを、前記送信手段により前前記他の情報処理装置に前記データをバックアップ送信し、前記設定手段により他の情報処理装置にバックアップ送信しないと設定された前記データを、前記送信手段により前前記他の情報処理装置に前記データをバックアップ送信しないように制御する制御手段をさらに備えることを特徴とする請求項１に記載の情報処理装置。
【請求項５】
前記送信手段により、遠隔ロックを実行する際に、前記情報管理装置または前記他の情報処理装置にバックアップ送信するデータの種別を設定する第２の設定手段をさらに備えることを特徴とする請求項１に記載の情報処理装置。
【発明の詳細な説明】
【技術分野】
【０００１】
本発明は情報処理装置に係り、特に、遠隔ロックを実行することができるようにした情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。
【０００３】
それに伴い、携帯電話機においては、電話番号やメールアドレスを管理するアドレス帳情報、インターネットのＵＲＬ（Uniform Resource Locator）情報を管理するブックマーク（お気に入り）情報、スケジュールを管理するスケジュール情報、ダウンロードした各種のコンテンツ（音楽データや動画像データなど）などの多様なプライベート情報などが管理されるようになってきている。
【０００４】
また、携帯電話機に内蔵されたカメラ（例えばＣＣＤ（Charge Coupled Device）カメラなど）を用いて撮像されたフォトデータやムービデータなどもプライベート情報として多く管理されるようになってきている。
【０００５】
従って、このように多くのプライベート情報が管理されている携帯電話機をユーザが紛失してしまうと、第三者（例えば拾得者など）にこれらのプライベート情報を漏洩してしまい、その結果、これらのプライベート情報が不正に使用されてしまうという問題があった。
【０００６】
そこで、最近では、ユーザが携帯電話機を紛失してしまった場合に、紛失した携帯電話機に対して着信をかけたり、例えばパーソナルコンピュータや他の携帯電話機などからＳＭＳ（Short Message Service）などのメールを送信したりすることで、第三者が携帯電話機を使用（操作）することができないように遠隔ロックを行う技術が提案されている（特許文献１参照）。
【０００７】
また、この遠隔ロックの際に、携帯電話機に保存・管理されている各種のプライベート情報を削除する技術も提案されている。これにより、ユーザが携帯電話機を紛失した場合であっても、第三者（例えば拾得者など）にこれらのプライベート情報が漏洩してしまうことを防止することができる。
【特許文献１】特開２００６−２１１３７７号公報
【発明の開示】
【発明が解決しようとする課題】
【０００８】
しかしながら、特許文献１に提案されている技術などの従来の技術では、ユーザが携帯電話機を紛失した場合であっても、第三者（例えば拾得者など）にユーザのプライベート情報が漏洩してしまうことを防止することはできるが、紛失した携帯電話機を見つけることができなかったときには、紛失した携帯電話機に保存・管理されている各種のプライベート情報を失ってしまうという課題があった。
【０００９】
勿論、ユーザは事前にこれらの各種のプライベート情報を外部メモリやパーソナルコンピュータなどに逐次バックアップしておくことは可能であるが、ユーザは携帯電話機の紛失を予期することはできないため、結局、バックアップ後の更新された最新の各種のプライベート情報を失わざるを得ない。
【００１０】
本発明は、このような状況に鑑みてなされたものであり、プライベート情報の漏洩を防止しつつ、これらのプライベート情報の紛失を防止することができる情報処理装置を提供することを目的とする。
【課題を解決するための手段】
【００１１】
本発明の情報処理装置は、上述した課題を解決するために、外部より情報処理装置のロックをかけるための遠隔ロック通知を受信する受信手段と、他の情報処理装置に、データをバックアップ送信するか否かを設定する第１の設定手段と、受信手段により受信された遠隔ロック通知に基づいてロックを実行する際に、他の情報処理装置に、データをバックアップ送信する送信手段とを備えることを特徴とする。
【００１２】
本発明の情報処理装置においては、外部より情報処理装置のロックをかけるための遠隔ロック通知が受信され、他の情報処理装置に、データをバックアップ送信するか否かが設定され、受信された遠隔ロック通知に基づいてロックを実行する際に、他の情報処理装置に、データがバックアップ送信される。
【発明の効果】
【００１３】
本発明によれば、プライベート情報の漏洩を防止しつつ、これらのプライベート情報の紛失を防止することができる。
【発明を実施するための最良の形態】
【００１４】
以下、本発明の実施の形態について、図面を参照しながら説明する。
【００１５】
図１は、本発明に係るネットワークシステム１の全体の構成を表している。
【００１６】
図１に示されるように、ネットワークシステム１には、通信サービスの提供エリアを所望の大きさに分割したセル内にそれぞれ固定無線局である基地局３が設置されている。この基地局３には、移動無線局である携帯電話機２が例えばＷ−ＣＤＭＡ（Wideband-Code Division Multiple Access）と呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００１７】
このように携帯電話機２は、Ｗ−ＣＤＭＡ方式によって大容量データを高速にデータ通信できることにより、音声通話だけでなく電子メールの送受信、簡易または通常のホームページの閲覧、画像の送受信等の多種に及ぶデータ通信を実行できる。
【００１８】
また、基地局３は、有線回線を介して公衆回線網４に接続されており、公衆回線網４には、インターネットサービスプロバイダのアクセスサーバ６が接続されている。また、公衆回線網４には、図示せぬ固定電話網を介して固定電話機５も接続されている。
【００１９】
アクセスサーバ６には、ネットワーク７（例えば、インターネット、ＬＡＮ（Local Area Network）、ＷＡＮ（Wide Area Network）、その他の各種のネットワークを含む）を介して、本発明に係る情報管理装置に適用可能なバックアップサーバ８や、ユーザの家庭内に設置された本発明に係る他の情報処理装置に適用可能なパーソナルコンピュータ９などが接続されている。
【００２０】
さらに、ネットワーク７には無線ＬＡＮ１０−ａが接続されており、携帯電話機２は、無線ＬＡＮ１０−ａのアクセスポイント１０−ｂを介して近距離大容量通信を行うことができる。
【００２１】
図２は、本発明に係る情報処理装置として適用可能な携帯電話機２の外観の構成を表している。なお、図２［Ａ］は、携帯電話機２を約１８０度に見開いたときの正面から見た外観の構成を表しており、図２［Ｂ］は、携帯電話機２を見開いたときの側面から見た外観の構成を表している。
【００２２】
図２［Ａ］および［Ｂ］に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ４４）が設けられており、内蔵されたアンテナを介して基地局３との間で電波を送受信する。
【００２３】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２４】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２５】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２６】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２７】
また、第１の筐体１２には、操作キー１４の下部にマイクロフォン１５が設けられており、マイクロフォン１５によって通話時のユーザの音声を集音する。また、第１の筐体１２には、携帯電話機２の操作を行うサイドキー１６が設けられている。
【００２８】
なお、第１の筐体１２は、背面側に図示しないバッテリパックが挿着されており、終話・電源キーがオン状態になると、バッテリパックから各回路部に対して電力が供給されて動作可能な状態に起動する。
【００２９】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２０）で撮像した画像、外部のコンテンツサーバ（図示せず）より受信したコンテンツ、メモリカード（後述する図４のメモリカード４６）に記憶されているコンテンツを表示することができる。
【００３０】
また、液晶ディスプレイ１７の上部の所定の位置にはスピーカ１８が設けられており、これにより、ユーザは音声通話することが可能である。
【００３１】
図３は、本発明に係る情報処理装置として適用可能な携帯電話機２の他の外観の構成を表している。図３の携帯電話機２の状態は、図２の携帯電話機２の状態から矢印Ｘ方向に回動させた状態である。なお、図３［Ａ］は、携帯電話機２を閉じたときの正面から見た外観の構成を表しており、図３［Ｂ］は、携帯電話機２を閉じたときの側面から見た外観の構成を表している。
【００３２】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機２の現在の電池残量を示す電池ピクト、現在の時刻などが表示される。
【００３３】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３４】
図４は、本発明に係る情報処理装置として適用可能な携帯電話機２の内部の構成を表している。
【００３５】
図４に示されるように、携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、および無線ＬＡＮモジュール４９がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３６】
電源回路部３２は、ユーザの操作により終話・電源キーがオン状態にされると、バッテリパックから各部に対して電力を供給することにより携帯電話機２を動作可能な状態に起動する。
【００３７】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００３８】
なお、主制御部３１には、現在の日付と時刻を正確に計測するタイマが内蔵されている。
【００３９】
携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４０】
また、携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４１】
さらに、携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局３へ送信する。
【００４２】
これに対して携帯電話機２は、データ通信モード時に電子メールを受信する場合、アンテナ４４を介して基地局３から受信した受信信号を変復調回路部３９でスペクトラム逆拡散処理して元のテキストデータを復元した後、ＬＣＤ制御部３６を介して液晶ディスプレイ１７に電子メールとして表示する。
【００４３】
その後携帯電話機２は、ユーザの操作に応じて受信した電子メールを記録再生部４５を介してメモリカード４６に記録することも可能である。
【００４４】
携帯電話機２は、画像信号を送信しない場合には、ＣＣＤカメラ２０で撮像した画像信号をカメラインタフェース部４５及びＬＣＤ制御部４６を介して液晶ディスプレイ１７に直接表示する。
【００４５】
携帯電話機２は、データ通信モード時に画像信号を送信する場合、ＣＣＤカメラ２０で撮像された画像信号をカメラインタフェース部３５を介して画像エンコーダ３４に供給する。
【００４６】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機２は、ＣＣＤカメラ２０で撮像中にマイクロフォン１５で集音した音声を音声コーデック４０を介してディジタルの音声信号として多重分離部３８に送出する。
【００４７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４８】
これに対して、携帯電話機２では、データ通信モード時に、Ｗｅｂページのデータを受信することができる。
【００４９】
すなわち、携帯電話機２において、データ通信モードに、例えばＷｅｂページを要求するデータを送信すると、その要求に応じて、Ｗｅｂページのデータが基地局３を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５０】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５１】
また、携帯電話機２は、データ通信モード時に例えばＷｅｂページなどにリンクされた動画像ファイルのデータを受信する場合、アンテナ４４を介して基地局３から受信した受信信号を変復調回路部３９でスペクトラム逆拡散処理し、その結果得られる多重化信号を多重分離部３８に送出する。
【００５２】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５３】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機２は、受信したＷｅｂページなどにリンクされたデータをユーザの操作により記録再生部４５を介してメモリカード４６に記録することが可能である。
【００５４】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５５】
音楽制御部４８は、記憶部４７に記憶されているオーディオデータの再生動作および一時停止動作や、巻戻し機能、早送り機能、音量ダウン動作、音量アップ動作などの実行を制御する。
【００５６】
無線ＬＡＮモジュール４９は、内蔵されたアンテナ（図示せず）を介して、ＩＥＥＥ８０２．１１ａ／ｂ／ｇなどの所定の規格に準拠した無線ＬＡＮ通信を行う。
【００５７】
次に、図５のフローチャートを参照して、図４の携帯電話機２における遠隔ロック設定処理について説明する。この遠隔ロック設定処理は、ユーザにより操作キー１４が操作されることにより遠隔ロック設定処理を開始するとの指示がなされることで、開始される。
【００５８】
ステップＳ１において、主制御部３１は、ユーザにより操作キー１４が操作されることにより遠隔ロック設定処理を開始するとの指示がなされたか否かを判定し、ユーザにより操作キー１４が操作されることにより遠隔ロック設定処理を開始するとの指示がなされたと判定するまで待機する。
【００５９】
ステップＳ１においてユーザにより操作キー１４が操作されることにより遠隔ロック設定処理を開始するとの指示がなされたと判定された場合、主制御部３１はステップＳ２で、ＬＣＤ制御部３６を制御し、遠隔ロックを「ＯＮ」や「ＯＦＦ」に設定するための画面である遠隔ロック設定画面を液晶ディスプレイ１７に表示させる。液晶ディスプレイ１７は、ＬＣＤ制御部３６の制御に従い、遠隔ロックの「ＯＮ」や「ＯＦＦ」を設定するための画面である遠隔ロック設定画面を表示する。
【００６０】
図６は、図４の液晶ディスプレイ１７に表示される遠隔ロック設定画面の遷移図を表している。
【００６１】
図６の遠隔ロック設定画面５１−ａに示されるように、遠隔ロックを「ＯＮ」または「ＯＦＦ」に設定するためのコマンドが表示される。
【００６２】
ステップＳ３において、主制御部３１は、ユーザにより操作キー１４が操作されることにより遠隔ロック設定画面５１−ａ上の「ＯＮ」の選択が受け付けられたか否かを判定する。すなわち、まず、図６の遠隔ロック設定画面５１−ａ上において、ユーザにより操作キー１４のうち例えば上下キーが操作されることにより、遠隔ロック設定画面５１−ａおよびｄの２つの画面を遷移するのに伴って、２つのコマンドである「ＯＮ」と「ＯＦＦ」のいずれかの上にフォーカスが移動され、その後、遠隔ロック設定画面５１−ａ上においてユーザにより操作キーのうち例えば確定キーが操作されることで、２つのコマンドのうちの「ＯＮ」の選択が受け付けられたか否かが判定される。
【００６３】
ステップＳ３においてユーザにより操作キー１４が操作されることにより遠隔ロック設定画面５１−ａ上の「ＯＮ」の選択が受け付けられたと判定された場合、主制御部３１はステップＳ４で、遠隔ロックを「ＯＮ」に設定し、設定された遠隔ロックに関するデータである遠隔ロック設定データを記憶部４７に供給する。この遠隔ロック設定データには、遠隔ロックが「ＯＮ」に設定されたことを示すデータが含まれている。
【００６４】
このとき、図６の遠隔ロック設定画面５１−ａは、遠隔ロック設定画面５１−ｂに遷移し、遠隔ロック設定画面５１−ｂ上において「ＯＮ  設定しました」という旨のメッセージがポップアップ表示される。これにより、ユーザは、遠隔ロックが「ＯＮ」に設定されたことを知ることができる。
【００６５】
その後、遠隔ロック設定画面５１−ｂ上において、ユーザにより操作キー１４のうち例えば確定キーが操作されることにより、「ＯＫ」というコマンドの選択が受け付けられることで、遠隔ロックの「ＯＮ」への設定が確定され、遠隔ロック設定画面５１−ｂは、遠隔ロック設定画面５１−ｃに遷移する。
【００６６】
一方、ステップＳ３においてユーザにより操作キー１４が操作されることにより遠隔ロック設定画面５１−ａ上の「ＯＮ」の選択が受け付けられていないと判定された場合、主制御部３１はステップＳ５で、ユーザにより操作キー１４が操作されることにより遠隔ロック設定画面５１−ｄ上の「ＯＦＦ」の選択が受け付けられたか否かを判定する。
【００６７】
すなわち、まず、図６の遠隔ロック設定画面５１−ａ上において、ユーザにより操作キー１４のうち例えば上下キーが操作されることにより、遠隔ロック設定画面５１−ａおよびｄの２つの画面を遷移するのに伴って、２つのコマンドである「ＯＮ」と「ＯＦＦ」のいずれかの上にフォーカスが移動され、その後、遠隔ロック設定画面５１−ｄ上においてユーザにより操作キーのうち例えば確定キーが操作されることで、２つのコマンドのうちの「ＯＦＦ」の選択が受け付けられたか否かが判定される。
【００６８】
ステップＳ５においてユーザにより操作キー１４が操作されることにより遠隔ロック設定画面５１−ａ上の「ＯＦＦ」の選択が受け付けられたと判定された場合、主制御部３１はステップＳ６で、遠隔ロックを「ＯＦＦ」に設定し、設定された遠隔ロックに関するデータである遠隔ロック設定データを記憶部４７に供給する。この遠隔ロック設定データには、遠隔ロックが「ＯＦＦ」に設定されたことを示すデータが含まれている。
【００６９】
このとき、図６の遠隔ロック設定画面５１−ｄは、遠隔ロック設定画面５１−ｅに遷移し、遠隔ロック設定画面５１−ｅ上において「ＯＦＦ  設定しました」という旨のメッセージがポップアップ表示される。これにより、ユーザは、遠隔ロックが「ＯＦＦ」に設定されたことを知ることができる。
【００７０】
その後、遠隔ロック設定画面５１−ｅ上において、ユーザにより操作キー１４のうち例えば確定キーが操作されることにより、「ＯＫ」というコマンドの選択が受け付けられることで、遠隔ロックの「ＯＦＦ」への設定が確定され、遠隔ロック設定画面５１−ｅは、遠隔ロック設定画面５１−ｆに遷移する。
【００７１】
ステップＳ５においてユーザにより操作キー１４が操作されることにより遠隔ロック設定画面５１−ｄ上の「ＯＦＦ」の選択が受け付けられていないと判定された場合、処理はステップＳ３に戻り、その後、ステップＳ３以降の処理が繰り返される。これにより、ユーザにより操作キー１４が操作されることにより、遠隔ロックが「ＯＮ」あるいは「ＯＦＦ」のいずれかに設定される。
【００７２】
ステップＳ７において、記憶部４７は、主制御部３１から供給された遠隔ロック設定データ（遠隔ロックが「ＯＮ」または「ＯＦＦ」に設定されたことに関するデータが含まれている）を取得し、主制御部３１の制御に従い、取得された遠隔ロック設定データを記憶する。
【００７３】
ステップＳ８において、主制御部３１は、ユーザにより操作キー１４が操作されることにより遠隔ロック設定処理を終了するとの指示がなされたか否かを判定し、ユーザにより操作キー１４が操作されることにより遠隔ロック設定処理を終了するとの指示がなされたと判定するまで待機する。
【００７４】
ステップＳ１においてユーザにより操作キー１４が操作されることにより遠隔ロック設定処理を終了するとの指示がなされたと判定された場合、携帯電話機２における遠隔ロック設定処理は終了する。
【００７５】
その後、ユーザは、操作キー１４を操作することにより、遠隔ロックを実行する際における各種のデータ（例えばアドレス帳やスケジュールデータ、フォトデータなど）の自動バックアップ送信に関する設定を携帯電話機２に行わせる。以下、図４の携帯電話機２における自動バックアップ送信処理について説明する。
【００７６】
図７のフローチャートを参照して、図４の携帯電話機２における自動バックアップ送信設定処理について説明する。この自動バックアップ送信設定処理は、ユーザにより操作キー１４が操作されることにより自動バックアップ送信設定処理を開始するとの指示がなされることで、開始される。
【００７７】
ステップＳ２１において、主制御部３１は、ユーザにより操作キー１４が操作されることにより自動バックアップ送信設定処理を開始するとの指示がなされたか否かを判定し、ユーザにより操作キー１４が操作されることにより自動バックアップ送信設定処理を開始するとの指示がなされたと判定するまで待機する。
【００７８】
ステップＳ２１においてユーザにより操作キー１４が操作されることにより自動バックアップ送信設定処理を開始するとの指示がなされたと判定された場合、主制御部３１はステップＳ２２で、ＬＣＤ制御部３６を制御し、自動バックアップ送信を設定するための画面である自動バックアップ送信設定画面を液晶ディスプレイ１７に表示させる。液晶ディスプレイ１７は、ＬＣＤ制御部３６の制御に従い、自動バックアップ送信を設定するための画面である自動バックアップ送信設定画面を表示する。
【００７９】
図８は、図４の液晶ディスプレイ１７に表示される自動バックアップ送信設定画面の遷移図を表している。
【００８０】
図８の自動バックアップ送信設定画面５２−ａに示されるように、例えば固定電話機５からの遠隔ロックを実行する際における自動バックアップ送信を「バックアップサーバ（例えば図１のバックアップサーバ８）へ送信」、「メール添付で（例えば図１のパーソナルコンピュータ９に）送信」、または「ＯＦＦ」に設定するためのコマンドが表示される。
【００８１】
ステップＳ２３において主制御部３１は、ユーザにより操作キー１４が操作されることにより自動バックアップ設定画面５２−ａ上の「バックアップサーバへ送信」の選択が受け付けられたか否かを判定する。すなわち、まず、図８の自動バックアップ送信設定画面５２−ａ上において、ユーザにより操作キー１４のうち例えば上下キーが操作されることにより、自動バックアップ送信設定画面５２−ａ、ｄ、およびｈの３つの画面の遷移に伴って、３つのコマンドである「バックアップサーバへ送信」、「メール添付で送信」、および「ＯＦＦ」のいずれかの上にフォーカスが移動され、その後、自動バックアップ設定画面５２−ａ上においてユーザにより操作キーのうち例えば確定キーが操作されることで、３つのコマンドのうちの「バックアップサーバへ送信」の選択が受け付けられたか否かが判定される。
【００８２】
ステップＳ２３においてユーザにより操作キー１４が操作されることにより自動バックアップ送信設定画面５２−ａ上の「バックアップサーバへ送信」の選択が受け付けられたと判定された場合、主制御部３１はステップＳ２４で、自動バックアップ送信を「バックアップサーバ（例えば図１のバックアップサーバ８）へ送信」に設定し、設定された自動バックアップ送信に関するデータである自動バックアップ送信設定データを記憶部４７に供給する。この自動バックアップ送信設定データには、自動バックアップ送信が「バックアップサーバへ送信」に設定されたことを示すデータが含まれている。
【００８３】
このとき、図８の自動バックアップ送信設定画面５２−ａは、自動バックアップ送信設定画面５２−ｂに遷移し、自動バックアップ送信設定画面５２−ｂ上において「バックアップサーバへ送信  設定しました」という旨のメッセージがポップアップ表示される。これにより、ユーザは、自動バックアップ送信が「バックアップサーバへ送信」に設定されたことを知ることができる。
【００８４】
その後、自動バックアップ送信設定画面５２−ｂ上において、ユーザにより操作キー１４のうち例えば確定キーが操作されることにより、「ＯＫ」というコマンドの選択が受け付けられることで、自動バックアップの「バックアップサーバへ送信」への設定が確定され、自動バックアップ送信設定画面５２−ｂは、自動バックアップ送信設定画面５２−ｃに遷移する。
【００８５】
一方、ステップＳ２３においてユーザにより操作キー１４が操作されることにより自動バックアップ送信設定画面５２−ａ上の「バックアップサーバへ送信」の選択が受け付けられていないと判定された場合、主制御部３１はステップＳ２５で、ユーザにより操作キー１４が操作されることにより自動バックアップ送信設定画面５２−ｄ上の「メール添付で送信」の選択が受け付けられたか否かを判定する。
【００８６】
すなわち、まず、図８の自動バックアップ送信設定画面５２−ａ上において、ユーザにより操作キー１４のうち例えば上下キーが操作されることにより、自動バックアップ送信設定画面５２−ａ、ｄ、およびｈの３つの画面の遷移に伴って、３つのコマンドである「バックアップサーバへ送信」、「メール添付で送信」、および「ＯＦＦ」のいずれかの上にフォーカスが移動され、その後、自動バックアップ設定画面５２−ｄ上においてユーザにより操作キーのうち例えば確定キーが操作されることで、３つのコマンドのうちの「メール添付で送信」の選択が受け付けられたか否かが判定される。
【００８７】
ステップＳ２５においてユーザにより操作キー１４が操作されることにより自動バックアップ送信設定画面５２−ｄ上の「メール添付で送信」の選択が受け付けられたと判定された場合、主制御部３１はステップＳ２６で、ＬＣＤ制御部３６を制御し、メール送信先設定アドレスの入力を受け付けるためのアドレス入力受付欄を液晶ディスプレイ１７に表示させる。液晶ディスプレイ１７は、ＬＣＤ制御部３６の制御に従い、メール送信先設定アドレスの入力を受け付けるためのアドレス入力受付欄を表示する。
【００８８】
このとき、自動バックアップ送信設定画面５２−ｄは自動バックアップ送信設定画面５２−ｅに遷移し、例えば図８の自動バックアップ送信設定画面５２−ｅに示されるように、メール送信先設定アドレスの入力を受け付けるためのアドレス入力受付欄が表示される。
【００８９】
ステップＳ２７において、主制御部３１は、操作入力制御部３３を介して、ユーザにより操作キー１４が操作されることにより、メール送信先設定アドレスの入力が受け付けられる。
【００９０】
例えば図８の自動バックアップ送信設定画面５２−ｅの場合、メール送信先設定アドレスとして「hoge@hoge.ne.jp」の入力が受け付けられる。
【００９１】
その後、自動バックアップ送信設定画面５２−ｅ上において、ユーザにより操作キー１４のうち例えば確定キーが操作されることにより、「決定」というコマンドの選択が受け付けられることで、メール送信先設定アドレスとして「hoge@hoge.ne.jp」の入力の受付が確定される。
【００９２】
ステップＳ２８において、主制御部３１は、自動バックアップ送信を「メール添付で送信」に設定し、設定された自動バックアップ送信に関するデータである自動バックアップ送信設定データを記憶部４７に供給する。この自動バックアップ送信設定データには、自動バックアップ送信が「メール添付で送信」に設定されたことを示すデータが含まれている。
【００９３】
このとき、図８の自動バックアップ送信設定画面５２−ｅは、自動バックアップ送信設定画面５２−ｆに遷移し、自動バックアップ送信設定画面５２−ｆ上において「メール添付で送信  設定しました」という旨のメッセージがポップアップ表示される。これにより、ユーザは、自動バックアップ送信が「メール添付で送信」に設定されたことを知ることができる。
【００９４】
その後、自動バックアップ送信設定画面５２−ｆ上において、ユーザにより操作キー１４のうち例えば確定キーが操作されることにより、「ＯＫ」というコマンドの選択が受け付けられることで、自動バックアップの「メール添付で送信」への設定が確定され、自動バックアップ送信設定画面５２−ｆは、自動バックアップ送信設定画面５２−ｇに遷移する。
【００９５】
ステップＳ２５においてユーザにより操作キー１４が操作されることにより自動バックアップ送信設定画面５２−ｄ上の「メール添付で送信」の選択が受け付けられていないと判定された場合、主制御部３１はステップＳ２９で、ユーザにより操作キー１４が操作されることにより自動バックアップ送信設定画面５２−ｈ上の「ＯＦＦ」の選択が受け付けられたか否かを判定する。
【００９６】
すなわち、まず、図８の自動バックアップ送信設定画面５２−ａ上において、ユーザにより操作キー１４のうち例えば上下キーが操作されることにより、自動バックアップ送信設定画面５２−ａ、ｄ、およびｈの３つの画面の遷移に伴って、３つのコマンドである「バックアップサーバへ送信」、「メール添付で送信」、および「ＯＦＦ」のいずれかの上にフォーカスが移動され、その後、自動バックアップ設定画面５２−ｈ上においてユーザにより操作キーのうち例えば確定キーが操作されることで、３つのコマンドのうちの「ＯＦＦ」の選択が受け付けられたか否かが判定される。
【００９７】
ステップＳ２９においてユーザにより操作キー１４が操作されることにより自動バックアップ送信設定画面５２−ｈ上の「ＯＦＦ」の選択が受け付けられたと判定された場合、主制御部３１はステップＳ３０で、自動バックアップ送信を「ＯＦＦ」に設定し、設定された自動バックアップ送信に関するデータである自動バックアップ送信設定データを記憶部４７に供給する。この自動バックアップ送信設定データには、自動バックアップ送信が「ＯＦＦ」に設定されたことを示すデータが含まれている。
【００９８】
これにより、遠隔ロックを実行する際における自動バックアップ送信は実行されない。
【００９９】
このとき、図８の自動バックアップ送信設定画面５２−ｈは、自動バックアップ送信設定画面５２−ｉに遷移し、自動バックアップ送信設定画面５２−ｉ上において「ＯＦＦ  設定しました」という旨のメッセージがポップアップ表示される。これにより、ユーザは、自動バックアップ送信が「ＯＦＦ」に設定されたことを知ることができる。
【０１００】
その後、自動バックアップ送信設定画面５２−ｉ上において、ユーザにより操作キー１４のうち例えば確定キーが操作されることにより、「ＯＫ」というコマンドの選択が受け付けられることで、自動バックアップの「ＯＦＦ」への設定が確定され、自動バックアップ送信設定画面５２−ｉは、自動バックアップ送信設定画面５２−ｊに遷移する。
【０１０１】
一方、ステップＳ２９においてユーザにより操作キー１４が操作されることにより自動バックアップ送信設定画面５２−ｈ上の「ＯＦＦ」の選択が受け付けられていないと判定された場合、処理はステップＳ２３に戻り、その後、ステップＳ２３以降の処理が繰り返される。これにより、ユーザにより操作キー１４が操作されることにより、例えば固定電話機５からの遠隔ロックを実行する際における自動バックアップ送信が「バックアップサーバへ送信」、「メール添付で送信」、および「ＯＦＦ」のいずれかに設定される。
【０１０２】
ステップＳ３１において、記憶部４７は、主制御部３１から供給された自動バックアップ送信設定データ（自動バックアップ送信が「バックアップサーバへ送信」、「メール添付で送信」、または「ＯＦＦ」に設定されたことに関するデータが含まれている）を取得し、主制御部３１の制御に従い、取得された自動バックアップ送信設定データを記憶する。
【０１０３】
ステップＳ３２において、主制御部３１は、ユーザにより操作キー１４が操作されることにより自動バックアップ送信設定処理を終了するとの指示がなされたか否かを判定し、ユーザにより操作キー１４が操作されることにより自動バックアップ送信設定処理を終了するとの指示がなされたと判定するまで待機する。
【０１０４】
ステップＳ３２においてユーザにより操作キー１４が操作されることにより自動バックアップ送信設定処理を終了するとの指示がなされたと判定された場合、携帯電話機２における自動バックアップ送信設定処理は終了する。
【０１０５】
これにより、遠隔ロック操作が実行される際に行われる自動バックアップ送信を、「バックアップサーバへ送信」、「メール添付で送信」、または「ＯＦＦ」に設定することができる。より具体的には、遠隔ロック操作が実行される際に行われる自動バックアップ送信に関して、携帯電話機２とネットワーク７を介して接続されているバックアップサーバ８へ各種のデータ（例えばフォトデータなど）を送信するように設定したり、携帯電話機２とネットワーク７を介して接続されているパーソナルコンピュータ９にメール添付で送信するように設定したり、自動バックアップ送信自体を「ＯＦＦ」に（すなわち、行わないように）設定することができる。
【０１０６】
その後、ユーザは、操作キー１４を操作することにより、例えば固定電話機５からの遠隔ロックを実行する際における自動バックアップ送信するデータの種別（例えば、フォトデータやムービデータなど）を携帯電話機２に設定させる。以下、図４の携帯電話機４における自動バックアップデータ種別設定処理について説明する。
【０１０７】
次に、図９のフローチャートを参照して、図４の携帯電話機２における自動バックアップデータ種別設定処理について説明する。この自動バックアップデータ種別設定処理は、ユーザにより操作キー１４が操作されることにより自動バックアップデータ種別設定処理を開始するとの指示がなされることで、開始される。
【０１０８】
ステップＳ４１において、主制御部３１は、ユーザにより操作キー１４が操作されることにより自動バックアップデータ種別設定処理を開始するとの指示がなされたか否かを判定し、ユーザにより操作キー１４が操作されることにより自動バックアップデータ種別設定処理を開始するとの指示がなされたと判定するまで待機する。
【０１０９】
ステップＳ４１においてユーザにより操作キー１４が操作されることにより自動バックアップテータ種別設定処理を開始するとの指示がなされたと判定された場合、主制御部３１はステップＳ４２で、ＬＣＤ制御部３６を制御し、自動バックアップ送信する際のデータ種別を設定するための画面である自動バックアップデータ種別設定画面を液晶ディスプレイ１７に表示させる。液晶ディスプレイ１７は、ＬＣＤ制御部３６の制御に従い、自動バックアップ送信する際のデータ種別を設定するための画面である自動バックアップデータ種別設定画面を表示する。
【０１１０】
図１０は、図４の液晶ディスプレイ１７に表示される自動バックアップデータ種別設定画面の遷移図を表している。
【０１１１】
図１０の自動バックアップデータ種別設定画面５３−ａに示されるように、例えば固定電話機５からの遠隔ロックを実行する際における自動バックアップ送信する際のデータ種別として「アドレス帳」、「スケジュールデータ」、「フォトデータ」、または「ムービデータ」の「ＯＮ／ＯＦＦ」を切り替えて設定するためのコマンドが表示される。
【０１１２】
なお、図１０の自動バックアップデータ種別設定画面５３−ａにおいては、現在、「アドレス帳」、「スケジュールデータ」、「フォトデータ」、または「ムービデータ」の「ＯＮ／ＯＦＦ」の設定は、「アドレス帳  ＯＦＦ」、「スケジュールデータ  ＯＦＦ」、「フォトデータ  ＯＮ」、または「ムービデータ  ＯＦＦ」に設定されている。
【０１１３】
また、各種データにおいては「ＯＮ」に設定されることで自動バックアップ送信の対象となる一方、各種データにおいては「ＯＦＦ」に設定されることで自動バックアップ送信の対象とならない。
【０１１４】
ステップＳ４３において、主制御部３１は、ユーザにより操作キー１４が操作されることにより自動バックアップデータ種別設定画面５３−ａ上の「アドレス帳  ＯＮ／ＯＦＦ」の設定の切り替えが受け付けられたか否かを判定する。すなわち、図１０の自動バックアップデータ種別設定画面５３−ａ上において、ユーザにより操作キー１４のうち例えば上下キーが操作されることにより、４つのコマンド（「アドレス帳  ＯＮ／ＯＦＦ」、「スケジュールデータ  ＯＮ／ＯＦＦ」、「フォトデータ  ＯＮ／ＯＦＦ」、「ムービデータ  ＯＮ／ＯＦＦ」）のうち「アドレス帳  ＯＮ／ＯＦＦ」の上にフォーカスが移動され、その後、ユーザにより操作キーのうち例えば確定キーが操作されることで、「アドレス帳  ＯＮ／ＯＦＦ」の設定の切り替えが受け付けられたか否かが判定される。
【０１１５】
ステップＳ４３においてユーザにより操作キー１４が操作されることにより自動バックアップデータ種別設定画面５３−ａ上の「アドレス帳  ＯＮ／ＯＦＦ」の設定の切り替えが受け付けられたと判定された場合、主制御部３１はステップＳ４４で、自動バックアップデータ種別設定画面５３−ａ上の「アドレス帳  ＯＮ／ＯＦＦ」を切り替えて設定する。
【０１１６】
例えば図１０の自動バックアップデータ種別設定画面５３−ａの場合、「アドレス帳  ＯＮ／ＯＦＦ」が「ＯＦＦ」から「ＯＮ」に切り替えられて設定される。
【０１１７】
主制御部３１は、設定された自動バックアップデータ種別に関するデータである自動バックアップデータ種別設定データを記憶部４７に供給する。この自動バックアップデータ種別設定データには、「アドレス帳  ＯＮ／ＯＦＦ」が例えば「ＯＦＦ」から「ＯＮ」に切り替えられて設定されたことを示すデータが含まれている。
【０１１８】
このとき、図１０の自動バックアップデータ種別設定画面５３−ａは、自動バックアップデータ種別設定画面５３−ｂに遷移し、自動バックアップデータ種別設定画面５３−ｂ上において「ＯＮ  設定しました」という旨のメッセージがポップアップ表示される。これにより、ユーザは、「アドレス帳  ＯＮ／ＯＦＦ」が例えば「ＯＦＦ」から「ＯＮ」に切り替えられて設定されたことを知ることができる。
【０１１９】
その後、自動バックアップデータ種別設定画面５３−ｂ上において、ユーザにより操作キー１４のうち例えば確定キーが操作されることにより、「ＯＫ」というコマンドの選択が受け付けられることで、「アドレス帳  ＯＮ／ＯＦＦ」の「ＯＦＦ」から「ＯＮ」へ切り替えることによる設定が確定され、自動バックアップデータ種別設定画面５３−ｂは、自動バックアップデータ種別設定画面５３−ｃに遷移する。
【０１２０】
ステップＳ４５において、記憶部４７は、主制御部３１から供給された自動バックアップデータ種別設定データ（「アドレス帳  ＯＮ／ＯＦＦ」が例えば「ＯＦＦ」から「ＯＮ」に切り替えられて設定されたことを示すデータが含まれている）を取得し、主制御部３１の制御に従い、取得された自動バックアップデータ種別設定データを記憶する。
【０１２１】
ステップＳ４３においてユーザにより操作キー１４が操作されることにより自動バックアップデータ種別設定画面５３−ａ上の「アドレス帳  ＯＮ／ＯＦＦ」の設定の切り替えが受け付けられていないと判定された場合、ステップＳ４４乃至Ｓ４５の処理はスキップされる。
【０１２２】
なお、再び、ステップＳ４３乃至Ｓ４５の「アドレス帳」設定処理が実行されると、自動バックアップデータ種別設定画面５３−ｃは順次、自動バックアップデータ種別設定画面５３−ｄ、そして、自動バックアップデータ種別設定画面５３−ｅに遷移し、「アドレス帳  ＯＮ／ＯＦＦ」が「ＯＦＦ」から「ＯＮ」に切り替えられて設定される。
【０１２３】
ステップＳ４６において、主制御部３１は、ユーザにより操作キー１４が操作されることにより自動バックアップデータ種別設定画面５３−ｆ上の「スケジュールデータ  ＯＮ／ＯＦＦ」の設定の切り替えが受け付けられたか否かを判定する。すなわち、まず、図１０の自動バックアップデータ種別設定画面５３−ａ上において、ユーザにより操作キー１４のうち例えば上下キーが操作されることにより、自動バックアップデータ種別設定画面５３−ａ、ｆ、ｋ、およびｐの４つの画面を遷移するのに伴って、４つのコマンド（「アドレス帳  ＯＮ／ＯＦＦ」、「スケジュールデータ  ＯＮ／ＯＦＦ」、「フォトデータ  ＯＮ／ＯＦＦ」、「ムービデータ  ＯＮ／ＯＦＦ」）のうち「スケジュールデータ  ＯＮ／ＯＦＦ」の上にフォーカスが移動され、その後、自動バックアップデータ種別設定画面５３−ｆ上においてユーザにより操作キーのうち例えば確定キーが操作されることで、「スケジュールデータ  ＯＮ／ＯＦＦ」の設定の切り替えが受け付けられたか否かが判定される。
【０１２４】
ステップＳ４６においてユーザにより操作キー１４が操作されることにより自動バックアップデータ種別設定画面５３−ｆ上の「スケジュールデータ  ＯＮ／ＯＦＦ」の設定の切り替えが受け付けられたと判定された場合、主制御部３１はステップＳ４７で、自動バックアップデータ種別設定画面５３−ｆ上の「スケジュールデータ  ＯＮ／ＯＦＦ」を切り替えて設定する。
【０１２５】
例えば図１０の自動バックアップデータ種別設定画面５３−ｆの場合、「スケジュールデータ  ＯＮ／ＯＦＦ」が「ＯＦＦ」から「ＯＮ」に切り替えられて設定される。
【０１２６】
主制御部３１は、設定された自動バックアップデータ種別に関するデータである自動バックアップデータ種別設定データを記憶部４７に供給する。この自動バックアップデータ種別設定データには、「スケジュールデータ  ＯＮ／ＯＦＦ」が例えば「ＯＦＦ」から「ＯＮ」に切り替えられて設定されたことを示すデータが含まれている。
【０１２７】
このとき、図１０の自動バックアップデータ種別設定画面５３−ｆは、自動バックアップデータ種別設定画面５３−ｇに遷移し、自動バックアップデータ種別設定画面５３−ｇ上において「ＯＮ  設定しました」という旨のメッセージがポップアップ表示される。これにより、ユーザは、「スケジュールデータ  ＯＮ／ＯＦＦ」が例えば「ＯＦＦ」から「ＯＮ」に切り替えられて設定されたことを知ることができる。
【０１２８】
その後、自動バックアップデータ種別設定画面５３−ｇ上において、ユーザにより操作キー１４のうち例えば確定キーが操作されることにより、「ＯＫ」というコマンドの選択が受け付けられることで、「スケジュールデータ  ＯＮ／ＯＦＦ」の「ＯＦＦ」から「ＯＮ」へ切り替えることによる設定が確定され、自動バックアップデータ種別設定画面５３−ｇは、自動バックアップデータ種別設定画面５３−ｈに遷移する。
【０１２９】
ステップＳ４８において、記憶部４７は、主制御部３１から供給された自動バックアップデータ種別設定データ（「スケジュールデータ  ＯＮ／ＯＦＦ」が例えば「ＯＦＦ」から「ＯＮ」に切り替えられて設定されたことを示すデータが含まれている）を取得し、主制御部３１の制御に従い、取得された自動バックアップデータ種別設定データを記憶する。
【０１３０】
ステップＳ４６においてユーザにより操作キー１４が操作されることにより自動バックアップデータ種別設定画面５３−ｆ上の「スケジュールデータ  ＯＮ／ＯＦＦ」の設定の切り替えが受け付けられていないと判定された場合、ステップＳ４７乃至Ｓ４８の処理はスキップされる。
【０１３１】
なお、再び、ステップＳ４６乃至Ｓ４８の「スケジュールデータ」設定処理が実行されると、自動バックアップデータ種別設定画面５３−ｈは順次、自動バックアップデータ種別設定画面５３−ｉ、そして、自動バックアップデータ種別設定画面５３−ｊに遷移し、「スケジュールデータ  ＯＮ／ＯＦＦ」が「ＯＮ」から「ＯＦＦ」に切り替えられて設定される。
【０１３２】
ステップＳ４９において、主制御部３１は、ユーザにより操作キー１４が操作されることにより自動バックアップデータ種別設定画面５３−ｋ上の「フォトデータ  ＯＮ／ＯＦＦ」の設定の切り替えが受け付けられたか否かを判定する。すなわち、まず、図１０の自動バックアップデータ種別設定画面５３−ａ上において、ユーザにより操作キー１４のうち例えば上下キーが操作されることにより、自動バックアップデータ種別設定画面５３−ａ、ｆ、ｋ、およびｐの４つの画面を遷移するのに伴って、４つのコマンド（「アドレス帳  ＯＮ／ＯＦＦ」、「スケジュールデータ  ＯＮ／ＯＦＦ」、「フォトデータ  ＯＮ／ＯＦＦ」、「ムービデータ  ＯＮ／ＯＦＦ」）のうち「スケジュールデータ  ＯＮ／ＯＦＦ」の上にフォーカスが移動され、その後、自動バックアップデータ種別設定画面５３−ｋ上においてユーザにより操作キーのうち例えば確定キーが操作されることで、「フォトデータ  ＯＮ／ＯＦＦ」の設定の切り替えが受け付けられたか否かが判定される。
【０１３３】
ステップＳ４９においてユーザにより操作キー１４が操作されることにより自動バックアップデータ種別設定画面５３−ｋ上の「フォトデータ  ＯＮ／ＯＦＦ」の設定の切り替えが受け付けられたと判定された場合、主制御部３１はステップＳ５０で、自動バックアップデータ種別設定画面５３−ｋ上の「フォトデータ  ＯＮ／ＯＦＦ」を切り替えて設定する。
【０１３４】
例えば図１０の自動バックアップデータ種別設定画面５３−ｋの場合、「フォトデータ  ＯＮ／ＯＦＦ」が「ＯＮ」から「ＯＦＦ」に切り替えられて設定される。
【０１３５】
主制御部３１は、設定された自動バックアップデータ種別に関するデータである自動バックアップデータ種別設定データを記憶部４７に供給する。この自動バックアップデータ種別設定データには、「フォトデータ  ＯＮ／ＯＦＦ」が例えば「ＯＮ」から「ＯＦＦ」に切り替えられて設定されたことを示すデータが含まれている。
【０１３６】
このとき、図１０の自動バックアップデータ種別設定画面５３−ｋは、自動バックアップデータ種別設定画面５３−ｌに遷移し、自動バックアップデータ種別設定画面５３−ｌ上において「ＯＦＦ  設定しました」という旨のメッセージがポップアップ表示される。これにより、ユーザは、「フォトデータ  ＯＮ／ＯＦＦ」が例えば「ＯＮ」から「ＯＦＦ」に切り替えられて設定されたことを知ることができる。
【０１３７】
その後、自動バックアップデータ種別設定画面５３−ｌ上において、ユーザにより操作キー１４のうち例えば確定キーが操作されることにより、「ＯＫ」というコマンドの選択が受け付けられることで、「フォトデータ  ＯＮ／ＯＦＦ」の「ＯＮ」から「ＯＦＦ」へ切り替えることによる設定が確定され、自動バックアップデータ種別設定画面５３−ｌは、自動バックアップデータ種別設定画面５３−ｍに遷移する。
【０１３８】
ステップＳ５１において、記憶部４７は、主制御部３１から供給された自動バックアップデータ種別設定データ（「フォトデータ  ＯＮ／ＯＦＦ」が例えば「ＯＮ」から「ＯＦＦ」に切り替えられて設定されたことを示すデータが含まれている）を取得し、主制御部３１の制御に従い、取得された自動バックアップデータ種別設定データを記憶する。
【０１３９】
ステップＳ４９においてユーザにより操作キー１４が操作されることにより自動バックアップデータ種別設定画面５３−ｋ上の「フォトデータ  ＯＮ／ＯＦＦ」の設定の切り替えが受け付けられていないと判定された場合、ステップＳ５０乃至Ｓ５１の処理はスキップされる。
【０１４０】
なお、再び、ステップＳ４９乃至Ｓ５１の「フォトデータ」設定処理が実行されると、自動バックアップデータ種別設定画面５３−ｍは順次、自動バックアップデータ種別設定画面５３−ｎ、そして、自動バックアップデータ種別設定画面５３−ｏに遷移し、「フォトデータ  ＯＮ／ＯＦＦ」が「ＯＦＦ」から「ＯＮ」に切り替えられて設定される。
【０１４１】
ステップＳ５２において、主制御部３１は、ユーザにより操作キー１４が操作されることにより自動バックアップデータ種別設定画面５３−ｐ上の「ムービデータ  ＯＮ／ＯＦＦ」の設定の切り替えが受け付けられたか否かを判定する。すなわち、まず、図１０の自動バックアップデータ種別設定画面５３−ａ上において、ユーザにより操作キー１４のうち例えば上下キーが操作されることにより、自動バックアップデータ種別設定画面５３−ａ、ｆ、ｋ、およびｐの４つの画面を遷移するのに伴って、４つのコマンド（「アドレス帳  ＯＮ／ＯＦＦ」、「スケジュールデータ  ＯＮ／ＯＦＦ」、「フォトデータ  ＯＮ／ＯＦＦ」、「ムービデータ  ＯＮ／ＯＦＦ」）のうち「スケジュールデータ  ＯＮ／ＯＦＦ」の上にフォーカスが移動され、その後、自動バックアップデータ種別設定画面５３−ｐ上においてユーザにより操作キーのうち例えば確定キーが操作されることで、「ムービデータ  ＯＮ／ＯＦＦ」の設定の切り替えが受け付けられたか否かが判定される。
【０１４２】
ステップＳ５２においてユーザにより操作キー１４が操作されることにより自動バックアップデータ種別設定画面５３−ｐ上の「ムービデータ  ＯＮ／ＯＦＦ」の設定の切り替えが受け付けられたと判定された場合、主制御部３１はステップＳ５３で、自動バックアップデータ種別設定画面５３−ｐ上の「ムービデータ  ＯＮ／ＯＦＦ」を切り替えて設定する。
【０１４３】
例えば図１０の自動バックアップデータ種別設定画面５３−ｐの場合、「ムービデータ  ＯＮ／ＯＦＦ」が「ＯＦＦ」から「ＯＮ」に切り替えられて設定される。
【０１４４】
主制御部３１は、設定された自動バックアップデータ種別に関するデータである自動バックアップデータ種別設定データを記憶部４７に供給する。この自動バックアップデータ種別設定データには、「ムービデータ  ＯＮ／ＯＦＦ」が例えば「ＯＦＦ」から「ＯＮ」に切り替えられて設定されたことを示すデータが含まれている。
【０１４５】
このとき、図１０の自動バックアップデータ種別設定画面５３−ｐは、自動バックアップデータ種別設定画面５３−ｑに遷移し、自動バックアップデータ種別設定画面５３−ｑ上において「ＯＮ  設定しました」という旨のメッセージがポップアップ表示される。これにより、ユーザは、「ムービデータ  ＯＮ／ＯＦＦ」が例えば「ＯＦＦ」から「ＯＮ」に切り替えられて設定されたことを知ることができる。
【０１４６】
その後、自動バックアップデータ種別設定画面５３−ｑ上において、ユーザにより操作キー１４のうち例えば確定キーが操作されることにより、「ＯＫ」というコマンドの選択が受け付けられることで、「スケジュールデータ  ＯＮ／ＯＦＦ」の「ＯＦＦ」から「ＯＮ」へ切り替えることによる設定が確定され、自動バックアップデータ種別設定画面５３−ｑは、自動バックアップデータ種別設定画面５３−ｒに遷移する。
【０１４７】
ステップＳ５４において、記憶部４７は、主制御部３１から供給された自動バックアップデータ種別設定データ（「ムービデータ  ＯＮ／ＯＦＦ」が例えば「ＯＦＦ」から「ＯＮ」に切り替えられて設定されたことを示すデータが含まれている）を取得し、主制御部３１の制御に従い、取得された自動バックアップデータ種別設定データを記憶する。
【０１４８】
ステップＳ５２においてユーザにより操作キー１４が操作されることにより自動バックアップデータ種別設定画面５３−ｐ上の「ムービデータ  ＯＮ／ＯＦＦ」の設定の切り替えが受け付けられていないと判定された場合、ステップＳ５３乃至Ｓ５４の処理はスキップされる。
【０１４９】
なお、再び、ステップＳ５２乃至Ｓ５４の「ムービデータ」設定処理が実行されると、自動バックアップデータ種別設定画面５３−ｒは順次、自動バックアップデータ種別設定画面５３−ｓ、そして、自動バックアップデータ種別設定画面５３−ｔに遷移し、「ムービデータ  ＯＮ／ＯＦＦ」が「ＯＮ」から「ＯＦＦ」に切り替えられて設定される。
【０１５０】
ステップＳ５５において、主制御部３１は、ユーザにより操作キー１４が操作されることにより自動バックアップデータ種別設定処理を終了するとの指示がなされたか否かを判定する。
【０１５１】
ステップＳ５５においてユーザにより操作キー１４が操作されることにより自動バックアップデータ種別設定処理を終了するとの指示がなされていないと判定された場合、処理はステップＳ４３に戻り、その後、ステップＳ４３以降の処理が繰り返される。これにより、ユーザは、操作キー１４を操作することにより自動バックアップデータ種別設定処理を終了するとの指示をするまで、好みに応じて自動バックアップデータ種別を設定させることができる。
【０１５２】
ステップＳ５５においてユーザにより操作キー１４が操作されることにより自動バックアップデータ種別設定処理を終了するとの指示がなされたと判定された場合、携帯電話機２における自動バックアップ送信設定処理は終了する。
【０１５３】
また、ユーザは、操作キー１４を操作することにより、例えば固定電話機５からの遠隔ロックを実行する際における各種データのデータ自動削除を携帯電話機２に設定させる。以下、図４の携帯電話機２におけるデータ自動削除設定処理について説明する。
【０１５４】
図１１のフローチャートを参照して、図４の携帯電話機２におけるデータ自動削除設定処理について説明する。このデータ自動削除設定処理は、ユーザにより操作キー１４が操作されることによりデータ自動削除設定処理を開始するとの指示がなされることで、開始される。
【０１５５】
ステップＳ６１において、主制御部３１は、ユーザにより操作キー１４が操作されることによりデータ自動削除設定処理を開始するとの指示がなされたか否かを判定し、ユーザにより操作キー１４が操作されることによりデータ自動削除設定処理を開始するとの指示がなされたと判定するまで待機する。
【０１５６】
ステップＳ６１においてユーザにより操作キー１４が操作されることによりデータ自動削除設定処理を開始するとの指示がなされたと判定された場合、主制御部３１はステップＳ６２で、ＬＣＤ制御部３６を制御し、遠隔ロックを実行する際におけるデータ自動削除を「ＯＮ」や「ＯＦＦ」に設定するための画面であるデータ自動削除設定画面を液晶ディスプレイ１７に表示させる。液晶ディスプレイ１７は、ＬＣＤ制御部３６の制御に従い、遠隔ロックを実行する際におけるデータ自動削除を「ＯＮ」や「ＯＦＦ」に設定するための画面であるデータ自動削除設定画面を表示する。
【０１５７】
図１２は、図４の液晶ディスプレイ１７に表示されるデータ自動削除設定画面の遷移図を表している。
【０１５８】
図１２のデータ自動削除設定画面５１−ａに示されるように、遠隔ロックを実行する際におけるデータ自動削除を「ＯＮ」または「ＯＦＦ」に設定するためのコマンドが表示される。
【０１５９】
ステップＳ６３において、主制御部３１は、ユーザにより操作キー１４が操作されることによりデータ自動削除設定画面５４−ａ上の「ＯＮ」の選択が受け付けられたか否かを判定する。すなわち、まず、図１２のデータ自動削除設定画面５４−ａ上において、ユーザにより操作キー１４のうち例えば上下キーが操作されることにより、データ自動削除設定画面５４−ａおよびｄの２つの画面を遷移するのに伴って、２つのコマンドである「ＯＮ」と「ＯＦＦ」のいずれかの上にフォーカスが移動され、その後、データ自動削除設定画面５４−ａ上においてユーザにより操作キーのうち例えば確定キーが操作されることで、２つのコマンドのうちの「ＯＮ」の選択が受け付けられたか否かが判定される。
【０１６０】
ステップＳ６３においてユーザにより操作キー１４が操作されることによりデータ自動削除設定画面５４−ａ上の「ＯＮ」の選択が受け付けられたと判定された場合、主制御部３１はステップＳ６４で、遠隔ロックを実行する際におけるデータ自動削除を「ＯＮ」に設定し、設定されたデータ自動削除に関するデータであるデータ自動削除設定データを記憶部４７に供給する。このデータ自動削除設定データには、データ自動削除が「ＯＮ」に設定されたことを示すデータが含まれている。
【０１６１】
このとき、図１２のデータ自動削除設定画面５４−ａは、データ自動削除設定画面５４−ｂに遷移し、データ自動削除設定画面５４−ｂ上において「ＯＮ  設定しました」という旨のメッセージがポップアップ表示される。これにより、ユーザは、遠隔ロックを実行する際におけるデータ自動削除が「ＯＮ」に設定されたことを知ることができる。
【０１６２】
その後、データ自動削除設定画面５４−ｂ上において、ユーザにより操作キー１４のうち例えば確定キーが操作されることにより、「ＯＫ」というコマンドの選択が受け付けられることで、データ自動削除の「ＯＮ」への設定が確定され、データ自動削除設定画面５４−ｂは、データ自動削除設定画面５４−ｃに遷移する。
【０１６３】
一方、ステップＳ６３においてユーザにより操作キー１４が操作されることによりデータ自動削除設定画面５４−ａ上の「ＯＮ」の選択が受け付けられていないと判定された場合、主制御部３１はステップＳ６５で、ユーザにより操作キー１４が操作されることによりデータ自動削除設定画面５４−ｄ上の「ＯＦＦ」の選択が受け付けられたか否かを判定する。
【０１６４】
すなわち、まず、図１２のデータ自動削除設定画面５４−ａ上において、ユーザにより操作キー１４のうち例えば上下キーが操作されることにより、データ自動削除設定画面５４−ａおよびｄの２つの画面を遷移するのに伴って、２つのコマンドである「ＯＮ」と「ＯＦＦ」のいずれかの上にフォーカスが移動され、その後、データ自動削除設定画面５４−ｄ上においてユーザにより操作キーのうち例えば確定キーが操作されることで、２つのコマンドのうちの「ＯＦＦ」の選択が受け付けられたか否かが判定される。
【０１６５】
ステップＳ６５においてユーザにより操作キー１４が操作されることによりデータ自動削除設定画面５４−ａ上の「ＯＦＦ」の選択が受け付けられたと判定された場合、主制御部３１はステップＳ６６で、遠隔ロックを実行する際におけるデータ自動削除を「ＯＦＦ」に設定し、設定されたデータ自動削除に関するデータであるデータ自動削除設定データを記憶部４７に供給する。このデータ自動削除設定データには、遠隔ロックを実行する際におけるデータ自動削除が「ＯＦＦ」に設定されたことを示すデータが含まれている。
【０１６６】
このとき、図１２のデータ自動削除設定画面５４−ｄは、データ自動削除設定画面５４−ｅに遷移し、データ自動削除設定画面５４−ｅ上において「ＯＦＦ  設定しました」という旨のメッセージがポップアップ表示される。これにより、ユーザは、遠隔ロックを実行する際におけるデータ自動削除が「ＯＦＦ」に設定されたことを知ることができる。
【０１６７】
その後、データ自動削除設定画面５４−ｅ上において、ユーザにより操作キー１４のうち例えば確定キーが操作されることにより、「ＯＫ」というコマンドの選択が受け付けられることで、データ自動削除の「ＯＦＦ」への設定が確定され、データ自動削除設定画面５４−ｅは、データ自動削除設定画面５４−ｆに遷移する。
【０１６８】
ステップＳ６５においてユーザにより操作キー１４が操作されることによりデータ自動削除設定画面５４−ｄ上の「ＯＦＦ」の選択が受け付けられていないと判定された場合、処理はステップＳ６３に戻り、その後、ステップＳ６３以降の処理が繰り返される。これにより、ユーザにより操作キー１４が操作されることにより、遠隔ロックを実行する際におけるデータ自動削除が「ＯＮ」あるいは「ＯＦＦ」のいずれかに設定される。
【０１６９】
ステップＳ６７において、記憶部４７は、主制御部３１から供給されたデータ自動削除設定データ（データ自動削除が「ＯＮ」または「ＯＦＦ」に設定されたことに関するデータが含まれている）を取得し、主制御部３１の制御に従い、取得されたデータ自動削除設定データを記憶する。
【０１７０】
ステップＳ６８において、主制御部３１は、ユーザにより操作キー１４が操作されることによりデータ自動削除設定処理を終了するとの指示がなされたか否かを判定し、ユーザにより操作キー１４が操作されることによりデータ自動削除設定処理を終了するとの指示がなされたと判定するまで待機する。
【０１７１】
ステップＳ６８においてユーザにより操作キー１４が操作されることによりデータ自動削除設定処理を終了するとの指示がなされたと判定された場合、携帯電話機２におけるデータ自動削除設定処理は終了する。
【０１７２】
次に、図１３のフローチャートを参照して、図４の携帯電話機２における自動バックアップ送信処理について説明する。この自動バックアップ送信処理は、例えば固定電話機５からの遠隔ロック通知（例えば着信など）を受信することで、開始される。なお、本発明の実施形態においては、説明を簡略化するために、例えば固定電話機５を用いて携帯電話機２を遠隔ロックする場合に説明するが、このような場合に限られず、例えばパーソナルコンピュータ９を用いてメールなどによって携帯電話機２を遠隔ロックするようにしてもよいし、他の携帯電話機２を用いてＳＭＳなどのメールにより携帯電話機２を遠隔ロックするようにしてもよい。
【０１７３】
ステップＳ７１において、変復調回路部３９、送受信回路部４３、およびアンテナ４４は、基地局３および公衆回線網４などを介して、固定電話機５から遠隔ロック通知（例えば着信など）を受信し、受信された遠隔ロック通知を主制御部３１に供給する。
【０１７４】
主制御部３１は、変復調回路部３９から供給された遠隔ロック通知を取得する。
【０１７５】
ステップＳ７２において、主制御部３１は、記憶部４７に記憶されている遠隔ロック設定データ（遠隔ロックが「ＯＮ」または「ＯＦＦ」に設定されたことを示すデータが含まれている）を読み出す。
【０１７６】
ステップＳ７３において、主制御部３１は、読み出された遠隔ロック設定データに基づいて、遠隔ロックが「ＯＮ」に設定されているか否かを判定する。ステップＳ７３において遠隔ロックが「ＯＮ」に設定されていていないと判定された場合、主制御部３１はステップＳ７４で、例えば固定電話機５からの遠隔ロック通知に基づく遠隔ロックの実行をキャンセルする。これにより、携帯電話機２においては、たとえ例えば固定電話機５から遠隔ロック通知を受信したとしても、この遠隔ロック通知に基づく遠隔ロックは実行されない。
【０１７７】
その後、自動バックアップ送信処理は終了する。
【０１７８】
ステップＳ７３において遠隔ロックが「ＯＮ」に設定されていると判定された場合、主制御部３１はステップＳ７５で、記憶部４７に記憶されている自動バックアップ送信設定データ（（自動バックアップ送信が「ＯＮ」（すなわち、「バックアップサーバへ送信」または「メール添付で送信」）、あるいは「ＯＦＦ」に設定されたことに関するデータが含まれている）を読み出す。
【０１７９】
ステップＳ７６において、主制御部３１は、読み出された自動バックアップ送信設定データに基づいて、自動バックアップが「ＯＮ」に設定されているか否かを判定する。ステップＳ７６において自動バックアップが「ＯＮ」に設定されていないと判定された場合（すなわち、自動バックアップが「ＯＦＦ」に設定されていると判定された場合）、主制御部３１はステップＳ７７で、例えば固定電話機５からの遠隔ロック通知に基づく遠隔ロックの実行時における自動バックアップ送信の実行をキャンセルする。これにより、携帯電話機２においては、たとえ例えば固定電話機５から遠隔ロック通知に基づく遠隔ロックの実行時に、遠隔ロックは実行されるが、自動バックアップ送信は実行されない。
【０１８０】
その後、処理はステップＳ８３に進み、後述するステップＳ８３以降のデータ自動削除処理が実行される。
【０１８１】
ステップＳ７６において自動バックアップが「ＯＮ」に設定されていると判定された場合、主制御部３１はステップＳ７８で、自動バックアップ送信の対象となるデータが存在するか否かを判定する。すなわち、自動バックアップデータ種別設定処理により「ＯＮ」に設定されているデータ（例えばアドレス帳やスケジュールデータなど）が存在するか否かが判定される。
【０１８２】
ステップＳ７８において自動バックアップ送信の対象となるデータが存在しないと判定された場合、処理はステップＳ７７に進み、ステップＳ７７の処理において、例えば固定電話機５からの遠隔ロック通知に基づく遠隔ロックの実行時における自動バックアップ送信の実行がキャンセルされる。これにより、携帯電話機２においては、たとえ例えば固定電話機５から遠隔ロック通知に基づく遠隔ロックの実行時に、自動バックアップ送信が「ＯＮ」に設定されていたとしても、自動バックアップ送信の対象となるデータが存在しない場合には、自動バックアップ送信は実行されず、遠隔ロックのみ実行される。
【０１８３】
その後、処理はステップＳ８３に進み、後述するステップＳ８３以降のデータ自動削除処理が実行される。
【０１８４】
ステップＳ７８において自動バックアップ送信の対象となるデータが存在すると判定された場合、主制御部３１はステップＳ７９で、読み出された自動バックアップ送信設定データに基づいて、自動バックアップ送信が「バックアップサーバ（図１のバックアップサーバ８）へ送信」に設定されているか否かを判定する。
【０１８５】
ステップＳ７９において自動バックアップ送信が「バックアップサーバへ送信」に設定されていると判定された場合、主制御部３１はステップＳ８０で、記憶部４７に記憶されている自動バックアップ送信の対象となるデータ（すなわち、自動バックアップデータ種別設定処理により「ＯＮ」に設定されているデータ（例えばアドレス帳やスケジュールデータなど）を読み出し、変復調回路部３９、送受信回路部４３、およびアンテナ４４を制御し、読み出されたこれらのデータを基地局３などを介してバックアップサーバ８に送信させる。
【０１８６】
変復調回路部３９、送受信回路部４３、およびアンテナ４４は、主制御部３１の制御に従い、読み出されたこれらのデータを基地局３などを介してバックアップサーバ８に送信する。
【０１８７】
例えば図１０の自動バックアップデータ種別設定画面５３−ｃに示されるように、「アドレス帳」が「ＯＮ」、「スケジュールデータ」が「ＯＦＦ」、「フォトデータ」が「ＯＮ」、および「ムービデータ」が「ＯＦＦ」に設定されている場合、バックアップサーバ８には「フォトデータ」に関するデータがネットワーク７を介して送信される。
【０１８８】
これにより、ユーザは、その後、携帯電話機２を紛失したままであっても、携帯電話機２に保存・管理されている各種データを例えば新しい携帯電話機２に移し変えて保存・管理させることができる。従って、携帯電話機２の利便性を向上させることができる。
【０１８９】
一方、ステップＳ７９において自動バックアップ送信が「バックアップサーバへ送信」に設定されていていないと判定された場合（すなわち、自動バックアップ送信が「メール添付で送信」に設定されていると判定された場合）、主制御部３１はステップＳ８１で、記憶部４７に記憶されている自動バックアップ送信の対象となるデータ（すなわち、自動バックアップデータ種別設定処理により「ＯＮ」に設定されているデータ（例えばアドレス帳やスケジュールデータなど）を読み出し、パーソナルコンピュータ９に送信するメールを作成するとともに、読み出されたこられのデータをメールに添付し、変復調回路部３９、送受信回路部４３、およびアンテナ４４を制御して、読み出されたこれらのデータが添付されたメールを基地局３などを介してパーソナルコンピュータ９に送信させる。
【０１９０】
変復調回路部３９、送受信回路部４３、およびアンテナ４４は、主制御部３１の制御に従い、読み出されたこれらのデータが添付されたメールを基地局３などを介してパーソナルコンピュータ９に送信する。
【０１９１】
ステップＳ８２において、主制御部３１は、記憶部４７に記憶されている自動バックアップ送信の対象となるデータ（すなわち、自動バックアップデータ種別設定処理により「ＯＮ」に設定されているデータ（例えばアドレス帳やスケジュールデータなど）のすべてが自動バックアップ送信されたか否かを判定する。
【０１９２】
ステップＳ８２において記憶部４７に記憶されている自動バックアップ送信の対象となるデータのすべてが自動バックアップ送信されていないと判定された場合、処理はステップＳ７９に戻り、その後、ステップＳ７９以降の処理が繰り返し行われる。これにより、記憶部４７に記憶されている自動バックアップ送信の対象となるデータのすべてが自動バックアップ送信されるまで、自動バックアップ送信処理が実行される。
【０１９３】
ステップＳ８２において記憶部４７に記憶されている自動バックアップ送信の対象となるデータのすべてが自動バックアップ送信されたと判定された場合、主制御部３１はステップＳ８３で、記憶部４７に記憶されているデータ自動削除設定データ（データ自動削除が「ＯＮ」または「ＯＦＦ」に設定されたことに関するデータが含まれている）を読み出す。
【０１９４】
ステップＳ８４において、主制御部３１は、読み出されたデータ自動削除設定データに基づいて、データ自動削除が「ＯＮ」に設定されているか否かを判定する。ステップＳ８４においてデータ自動削除が「ＯＮ」に設定されていると判定された場合、主制御部３１はステップＳ８５で、例えば固定電話機５からの遠隔ロック通知に基づく遠隔ロックの実行時におけるデータ自動削除を実行する。これにより、携帯電話機２においては、例えば固定電話機５から遠隔ロック通知に基づく遠隔ロックの実行時には、遠隔ロックが実行されるとともに、データ自動削除が実行される。
【０１９５】
例えば記憶部４７にアドレス帳、スケジュールデータ、フォトデータ、およびムービデータなどが記憶されている場合、これらの各種データが削除される。これにより、ユーザが紛失した携帯電話機２を第三者が拾得したとしても、携帯電話機２内に保存されていた各種のデータを不正に使用することはできなくなる。
【０１９６】
その後、自動バックアップ送信処理は終了する。
【０１９７】
一方、ステップＳ８４においてデータ自動削除が「ＯＮ」に設定されていないと判定された場合（すなわち、データ自動削除が「ＯＦＦ」に設定されていると判定された場合）、主制御部３１はステップＳ８６で、例えば固定電話機５からの遠隔ロック通知に基づく遠隔ロックの実行時におけるデータ自動削除の実行をキャンセルする。これにより、携帯電話機２においては、例えば固定電話機５から遠隔ロック通知に基づく遠隔ロックの実行時には、遠隔ロックが実行されるとともに、データ自動削除の実行がキャンセルされる。
【０１９８】
その後、自動バックアップ送信処理は終了する。
【０１９９】
本発明の実施形態においては、例えば固定電話機５などからの遠隔ロックを実行する際における自動バックアップ送信を「バックアップサーバへ送信」や「メール添付で送信」に設定し、遠隔ロックを実行する際に携帯電話機２に保存・管理されている各種データ（例えばアドレス帳、スケジュールデータ、フォトデータ、およびムービデータなど）を自動バックアップ送信することができる。また、その後、遠隔ロックを実行する際に携帯電話機２に保存・管理されている各種データ（例えばアドレス帳、スケジュールデータ、フォトデータ、およびムービデータなど）をデータ自動削除することができる。
【０２００】
これにより、プライベート情報（各種データ）の漏洩を防止しつつ、これらのプライベート情報の紛失を防止することができる。従って、携帯電話機２において種々のデータを保存・管理する場合における利便性を向上させることができる。
【０２０１】
なお、本発明の実施形態においては、自動バックアップ送信設定処理により、自動バックアップ送信の方法（例えば「バックアップサーバ８へ送信」や「メール添付で送信」など）をデータの種別に関わらず一括して設定するようにしているが、このような場合に限られず、データの種別に異なる自動バックアップ送信の方法を設定するようにしてもよい。例えば、アドレス帳に関するデータについてはパーソナルコンピュータ９にメール添付で送信するようにし、フォトデータやムービデータなどをバックアップサーバ８に送信するように設定してもよい。
【０２０２】
また、データ種別のみならず、データ単位で（例えばムービデータの場合、ムービデータ１、２、３などのファイル単位で）自動バックアップ送信の方法を変えて設定するようにしてもよい。
【０２０３】
また、本発明の実施形態においては、バックアップサーバ８やパーソナルコンピュータ９に各種データを送信する際に、基地局３および公衆回線網４などを介して送信するようにしているが、このような場合に限られず、例えば図４の無線ＬＡＮモジュール４９を用いて、無線ＬＡＮ１０−ａなどを介して無線ＬＡＮ通信により送信するようにしてもよい。
【０２０４】
さらに、自動バックアップ送信実行時に携帯電話機２が圏外である場合には、自動バックアップ送信を実行することはできない。そこで、圏内になるまで予め設定された所定の回数（例えば５回など）を繰り返して自動バックアップ送信処理を実行するようにしてもよい。
【０２０５】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０２０６】
また、本発明の実施形態において説明した一連の処理は、ソフトウェアにより実行させることもできるが、ハードウェアにより実行させることもできる。
【０２０７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２０８】
【図１】本発明に係るネットワークシステムの全体の構成を示すネットワーク図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機における遠隔ロック設定処理を説明するフローチャート。
【図６】図４の液晶ディスプレイに表示される遠隔ロック設定画面の遷移を表す遷移図。
【図７】図４の携帯電話機における自動バックアップ送信設定処理を説明するフローチャート。
【図８】図４の液晶ディスプレイに表示される自動バックアップ送信設定画面の遷移を表す遷移図。
【図９】図４の携帯電話機における自動バックアップデータ種別設定処理を説明するフローチャート。
【図１０】図４の液晶ディスプレイに表示される自動バックアップデータ種別設定画面の遷移を表す遷移図。
【図１１】図４の携帯電話機におけるデータ自動削除設定処理を説明するフローチャート。
【図１２】図４の液晶ディスプレイに表示されるデータ自動削除設定画面の遷移を表す遷移図。
【図１３】図４の携帯電話機における自動バックアップ送信処理を説明するフローチャート。
【符号の説明】
【０２０９】
１…ネットワークシステム、２…携帯電話機、３…基地局、４…公衆回線網、５…固定電話機、６…アクセスサーバ、７…ネットワーク、８…バックアップサーバ、９…パーソナルコンピュータ、１０−ａ…無線ＬＡＮ、１０−ｂ…アクセスポイント、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…無線ＬＡＮモジュール。
【図１】
2008147948.tif 000003
【図２】
2008147948.tif 000004
【図３】
2008147948.tif 000005
【図４】
2008147948.tif 000006
【図５】
2008147948.tif 000007
【図６】
2008147948.tif 000008
【図７】
2008147948.tif 000009
【図８】
2008147948.tif 000010
【図９】
2008147948.tif 000011
【図１０】
2008147948.tif 000012
【図１１】
2008147948.tif 000013
【図１２】
2008147948.tif 000014
【図１３】
2008147948.tif 000015